【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
上にコンベヤベルトを支持するよう構成され、前記コンベヤベルトは第１の方向に材料を移動させるように動作可能な、アイドラ支持組立体であって、前記アイドラ支持組立体は、
第１の端部と第２の端部とを有するフレームと、
前記第１の端部と前記第２の端部との間で前記フレームに連結され、第１のローラ軸を中心に回転するよう構成される第１のアイドラローラと、
前記第１の端部と前記第２の端部との間で前記フレームに連結され、第２のローラ軸を中心に回転するよう構成される第２のアイドラローラであって、前記第１のローラ軸および前記第２のローラ軸は、互いに対してある傾斜角で配向される、第２のアイドラローラと、
第１の枢動軸を画定する第１の固定された基部であって、前記第１の枢動軸を中心にして、前記フレームの前記第１の端部が枢動可能に前記第１の固定された基部と連結され、前記第１の枢動軸は、前記コンベヤベルトの前記第１の方向とほぼ平行である、第１の固定された基部と、
前記フレームの前記第２の端部と、複数の位置で選択的に連結される、調整可能な支持体であって、前記複数の位置のそれぞれが、前記フレームが前記第１の固定された基部に対して延在する角度を画定する、調整可能な支持体と
を備える、アイドラ支持組立体。
【請求項２】
前記複数の位置のそれぞれが、前記第１の固定された基部に対する、前記フレームの前記第２の端部の複数の高さを画定する、請求項１に記載のアイドラ支持組立体。
【請求項３】
前記調整可能な支持体は、第２の基部と連結される支持部材を備える、請求項１に記載のアイドラ支持組立体。
【請求項４】
前記支持部材は、前記第２の基部と枢動可能に連結される、請求項３に記載のアイドラ
支持組立体。
【請求項５】
前記支持部材は、複数の穴部を有し、前記複数の穴部のそれぞれが、前記複数の位置のうちの１箇所に対応する、請求項３に記載のアイドラ支持組立体。
【請求項６】
前記フレームは、前記複数の穴部のうちの１つを貫いて受容され、前記フレームの前記第２の端部に係合する第２のピンによって、前記複数の位置のうちの１箇所で、前記支持部材に連結される、請求項５に記載のアイドラ支持組立体。
【請求項７】
前記フレームの前記第１の端部は、操作者による前記アイドラ支持組立体の輸送を可能にするよう構成される第１のハンドルを備える、請求項１に記載のアイドラ支持組立体。
【請求項８】
前記フレームの前記第２の端部は、前記操作者による前記アイドラ支持組立体の輸送を可能にするよう構成される第２のハンドルを備える、請求項７に記載のアイドラ支持組立体。
【請求項９】
前記調整可能な支持体が、前記複数の位置で前記フレームの前記第２の端部に選択的に連結されるので、前記フレームに対する前記第１のローラ軸および前記第２のローラ軸の向きは固定されたままである、請求項１に記載のアイドラ支持組立体。
【請求項１０】
湾曲部の周りで、上にコンベヤベルトを支持するよう構成されるアイドラ支持システムであって、前記アイドラ支持システムは、
第１の端部と第２の端部とを有する第１のフレームと、
前記第１のフレームと連結され、第１のローラ軸を中心に回転するよう構成される第１のアイドラローラと
を備える第１のアイドラ支持組立体であって、前記第１のフレームの前記第１の端部は、第１の固定された基部によって画定される第１の枢動軸を中心に枢動するよう構成される、第１のアイドラ支持組立体と、
第１の端部と第２の端部とを有する第２のフレームと、
前記第２のフレームと連結され、第２のローラ軸を中心に回転するよう構成される第２のアイドラローラと
を備える第２のアイドラ支持組立体であって、前記第２のフレームの前記第１の端部は、第２の固定された基部によって画定される第２の枢動軸を中心に枢動するよう構成される、第２のアイドラ支持組立体と
を備え、前記第１のアイドラ支持組立体は、前記第２のアイドラ支持組立体とは無関係に前記第１の枢動軸を中心に枢動し、前記コンベヤベルトを前記湾曲部の周りで案内するよう構成される、アイドラ支持システム。
【請求項１１】
前記第１のアイドラ支持組立体は、前記第１の枢動軸を中心にして、前記第１の固定された基部に対する前記第１のフレームによって画定される第１の角度で枢動可能であり、前記第２のアイドラ支持組立体は、前記第２の枢動軸を中心にして、前記第２の固定された基部に対する前記第２のフレームによって画定される第２の角度で枢動可能であり、前記コンベヤベルトを前記湾曲部の周りで案内するために、前記第１の角度は前記第２の角度より大きい、請求項１０に記載のアイドラ支持システム。
【請求項１２】
前記第１のフレームの前記第２の端部は、第１の調整可能な支持体と選択的に連結され、前記第２のフレームの前記第２の端部は、第２の調整可能な支持体と選択的に連結され、前記第１の調整可能な支持体または前記第２の調整可能な支持体の調整によって、対応する前記第１の角度または前記第２の角度を変更する、請求項１１に記載のアイドラ支持システム。
【請求項１３】
前記第１の調整可能な支持体および前記第２の調整可能な支持体のそれぞれが、第３の基部に連結される支持部材を備え、それぞれの前記支持部材が複数の穴部を有し、前記第１の角度および前記第２の角度が、それぞれの前記支持部材の前記複数の穴部のうちの１つに対応する、請求項１２に記載のアイドラ支持システム。
【請求項１４】
前記第１の調整可能な支持体および前記第２の調整可能な支持体の、それぞれの前記支持部材は、対応する前記第３の基部に、枢動可能に連結される、請求項１３に記載のアイドラ支持システム。
【請求項１５】
前記第１のフレームは、前記複数の穴部のうちの１つを貫いて受容され、前記第１のフレームの前記第２の端部に係合する第１のピンによって、前記第１の調整可能な支持体の前記支持部材に連結され、前記第２のフレームは、前記複数の穴部のうちの１つを貫いて受容され、前記第２のフレームの前記第２の端部に係合する第２のピンによって、前記第２の調整可能な支持体の前記支持部材に連結される、請求項１３に記載のアイドラ支持システム。
【請求項１６】
前記第１のフレームの前記第１の端部、および前記第２のフレームの前記第１の端部はそれぞれ、操作者による前記第１のアイドラ支持組立体および前記第２のアイドラ支持組立体の輸送を可能にするよう構成される、第１のハンドルを備える、請求項１０に記載のアイドラ支持組立体。
【請求項１７】
前記第１のフレームの前記第２の端部、および前記第２のフレームの前記第２の端部はそれぞれ、前記操作者による前記第１のアイドラ支持組立体および前記第２のアイドラ支持組立体の輸送を可能にするよう構成される、第２のハンドルを備える、請求項１６に記載のアイドラ支持組立体。
【請求項１８】
前記第１のアイドラ支持組立体の前記第２の端部、および前記第２のアイドラ支持組立体の前記第２の端部は、前記湾曲部の内側に配置される、請求項１０に記載のアイドラ支持組立体。
【請求項１９】
コンベヤベルトを、湾曲部の周りで案内するように、上に前記コンベヤベルトを支持するよう構成されたアイドラ支持組立体を調整する方法であって、
フレームの第１の端部を、枢動軸を中心にして、固定された基部と枢動可能に連結し、前記固定された基部は、前記枢動軸を画定するステップと、
第１のローラ軸を中心に回転するよう構成された、第１のアイドラローラを前記フレームに支持するステップと、
第２のローラ軸を中心に回転するよう構成された、第２のアイドラローラを前記フレームに支持するステップであって、前記第１のローラ軸および前記第２のローラ軸は、互いに対してある傾斜角で配向されるステップと、
前記固定された基部に対する前記フレームの第２の端部の高さを調整し、前記フレームと前記固定された基部との間の角度を調整して、前記コンベヤベルトを前記湾曲部の周りに案内するステップと
を含む方法。
【請求項２０】
前記フレームの前記第２の端部の前記高さを調整するステップは、ピンによって、前記フレームの前記第２の端部を、調整可能な支持体の複数の穴部のうちの１つに選択的に連結するステップを含む、請求項１９に記載の方法。
【請求項２１】
前記フレームの前記第２の端部を、前記湾曲部の内側に配置するステップをさらに含む
、請求項２０に記載の方法。
【請求項２２】
材料をある方向に移動させるように動作可能であり、幅を画定するコンベヤベルトを備える、アイドラ支持組立体であって、前記アイドラ支持組立体は、
第１の端部と第２の端部とを有し、前記コンベヤベルトの前記幅が、前記第１の端部と前記第２の端部との間にあるように、前記コンベヤベルトを支持するよう構成されるフレームと、
枢動軸を画定する第１の固定された基部であって、前記フレームの前記第１の端部が、前記枢動軸を中心にして、前記第１の固定された基部に枢動可能に連結される、第１の固定された基部と、
前記フレームの前記第２の端部と、複数の位置で選択的に連結される、調整可能な支持体であって、前記複数の位置のそれぞれが、前記フレームが前記第１の固定された基部に対して延在する角度を画定する、調整可能な支持体と
を備え、前記フレームは、前記調整可能な支持体の前記複数の位置のそれぞれで、前記コンベヤベルトを支持するよう構成される、アイドラ支持組立体。
【請求項２３】
前記枢動軸は、前記コンベヤベルトの前記移動方向とほぼ平行である、請求項２２に記載のアイドラ支持組立体。
【請求項２４】
前記第１の端部と前記第２の端部との間で前記フレームに連結され、前記コンベヤベルトを支持するために、ローラ軸を中心に回転するよう構成されるアイドラローラをさらに備える、請求項２２に記載のアイドラ支持組立体。
【請求項２５】
前記第１のフレームの前記第２の端部は、第１の調整可能な支持体と選択的に連結され、前記第２のフレームの前記第２の端部は、第２の調整可能な支持体と選択的に連結され、前記第１の調整可能な支持体は、第３の固定された基部に枢動可能に連結された第１の支持部材を有し、前記第２の調整可能な支持体は、第４の固定された基部に枢動可能に連結された第２の支持部材を有する、請求項１０に記載のアイドラ支持組立体。
【請求項２６】
支持部材を第２の固定された基部に枢動可能に連結するとともに、前記第２の固定された基部に対する前記フレームの前記第２の端部の高さを調整するステップを含み、前記支持部材は、前記フレームの第２の端部と選択的に連結される、請求項１９に記載の方法。
【請求項２７】
前記調整可能な支持体は、第２の固定された基部に枢動可能に連結された支持部材を有する、請求項２２に記載のアイドラ支持組立体。